(57)【要約】【課題】  被測定者の成り済ましを防ぐ身体状態管理装置を提供する。【解決手段】記憶部５は、身体状態の測定を受ける被測定者の個人情報を記憶する。身体情報認証装置３０は、被測定者の虹彩データに基づいて本人認証を行い、本人認証確定情報を送信する。身体状態測定装置２０は、被測定者のアルコール摂取状態を測定して測定データを取得する。身体状態管理装置１において、入出力手段２は、身体情報認証装置３０及び身体状態測定装置２０と接続している。測定開始指示手段３ａは、身体情報認証装置３０から本人認証確定情報を受信し、身体状態測定装置２０に測定開始指示を送信する。身体状態測定手段３ｂは、身体状態測定装置から被測定者の測定データを受信し、測定開始指示手段３ａから本人認証確定情報に含まれる個人情報を受信する。そして、該当する個人情報に関連づけて記憶部５に測定データを記憶する。【選択図】    図１
2005245956.tif 000002
【特許請求の範囲】
【請求項１】
身体状態の測定を受ける被測定者の個人情報を記憶する記憶部と、
前記被測定者の身体的特徴の特徴データと前記記憶部が予め記憶している前記個人情報に含まれている前記特徴データを照合して本人認証確定情報を送信する身体情報認証装置及び前記被測定者の身体状態を測定して測定データを取得する身体状態測定装置と接続する入出力手段と、
前記入出力手段を介して前記身体情報認証装置から前記本人認証確定情報を受信し、前記身体状態測定装置に前記入出力手段を介して測定開始指示を送信する測定開始指示手段と、
前記入出力手段を介して前記身体状態測定装置から前記被測定者の前記測定データを受信し、前記測定開始指示手段から前記本人認証確定情報に含まれる前記個人情報を受信し、該当する個人情報に関連づけて前記記憶部に前記測定データを記憶する身体状態測定手段と、
を備えた身体状態管理装置。
【請求項２】
前記入出力手段はさらに前記被測定者の顔写真を撮影するカメラと接続しており、
前記測定開始指示手段は、
前記測定開始指示を送信した後の所定の時間経過後に、前記入出力手段から前記カメラに撮影指示を送信し、
前記身体状態測定手段は、
前記被測定者の前記顔写真の画像データを前記カメラから受信し、該当する前記個人情報に関連づけて前記画像データを前記記憶部に記憶することを特徴とする請求項１に記載の身体状態管理装置。
【請求項３】
前記身体状態測定装置が測定する前記身体状態とは前記被測定者のアルコール摂取状態であることを特徴とする請求項１または２に記載の身体状態管理装置。
【請求項４】
前記身体情報認証装置が認証する前記身体的特徴とは前記被測定者の虹彩であることを特徴とする請求項１乃至３のいずれか１つに記載の身体状態管理装置。
【請求項５】
身体状態の測定を受ける被測定者の個人情報を記憶する記憶部と、前記被測定者の身体的特徴の特徴データと前記記憶部に予め記憶している前記個人情報に含まれる前記特徴データを照合して本人認証確定情報を送信する身体情報認証装置及び前記被測定者の身体状態を測定して測定データを取得する身体状態測定装置と接続する身体状態管理装置のデータ管理方法において、
前記身体情報認証装置から本人認証確定情報を受信する過程と、
前記身体状態測定装置に測定開始指示を送信する過程と、
前記身体状態測定装置から前記被測定者の前記測定データを受信する過程と、
前記本人認証確定情報に含まれる前記個人情報に基づいて、該当する個人情報関連づけて前記記憶部に前記測定データを記憶する過程と、
からなるデータ管理方法。
【請求項６】
身体状態の測定を受ける被測定者の個人情報を記憶する記憶部と、前記被測定者の身体的特徴の特徴データと前記記憶部に予め記憶している前記個人情報に含まれる前記特徴データを照合して本人認証確定情報を送信する身体情報認証装置及び前記被測定者の身体状態を測定して測定データを取得する身体状態測定装置と接続する身体状態管理装置のコンピュータに、
前記身体情報認証装置から本人認証確定情報を受信する手順、
前記身体状態測定装置に測定開始指示を送信する手順、
前記身体状態測定装置から前記被測定者の前記測定データを受信する手順、
前記本人認証確定情報に含まれる前記個人情報に基づいて、該当する個人情報関連づけて前記記憶部に前記測定データを記憶する手順、
を実行させるコンピュータプログラム。
【請求項７】
被測定者の身体的特徴の特徴データから前記被測定者の本人認証を行う身体情報認証装置と、
測定開始指示を受信して前記被測定者の身体状態を測定を開始して測定データを取得する身体状態測定装置と、
前記身体情報認証装置から前記被測定者が本人であることを認証する本人認証確定情報を受信し、前記身体状態測定装置に前記測定開始指示を送信し、前記身体状態測定装置から前記測定データを受信する身体状態管理装置と、
ネットワークを介して前記身体状態管理装置に接続されており、前記身体状態管理装置から前記測定データを受信し、前記測定データを記憶する管理サーバ装置と、
を備えた身体状態管理システム。
【請求項８】
前記身体状態管理装置は、前記被測定者ごとに個人情報を記憶する個人情報記憶部を有し、前記本人認証確定情報を受信した際に、前記被測定者に対応する個人情報を前記個人情報記憶部から読み出して前記管理サーバ装置に送信して応答を待機し、
前記管理サーバ装置は、受信した前記個人情報が予め登録されている個人情報に該当するかを判定し、該当する場合には、登録者確認の応答をすることを特徴とする請求項７に記載の身体状態管理システム。
【発明の詳細な説明】
【技術分野】
【０００１】
本発明は、主に従業者等の身体状態を日常的に管理することを目的とする身体状態管理装置及びそのデータ管理方法並びにそのコンピュータプログラムと身体状態管理システムに関する。
【背景技術】
【０００２】
従来の健康状態を測定する装置の多くは、主に高齢者の方が自宅で自己管理のために利用することを目的としたものである。それらの装置においてもこれまでに、改良が行われており、複数の家人で共有できるように被測定者を虹彩認証等によって認証し、被測定者ごとに健康データを保存していく機能を有する装置等も開発されている（例えば、特許文献１参照）。
一方、最近、鉄道、バス、タクシー等の交通に関わる事業を行う企業において、運行上の安全性のために、従業者の健康状態やアルコール摂取状態を日常的に管理する必要性から、業務用の健康管理装置に対する要望が高まっている。そのような需要の高まりから業務用の健康管理装置やアルコール測定器等の開発及び販売も行われている。
【特許文献１】特開２００３−２３５８２９号公報
【発明の開示】
【発明が解決しようとする課題】
【０００３】
しかしながら、特許文献１に示す健康検査装置においては、主に自己管理用の健康検査装置であるため、上記のような業務目的でアルコール摂取状態を測定するための仕組みは備えていないという課題がある。また、既に販売されているアルコール測定器等は、単体で動作することを目的としており、被測定者の本人認証を行った後に測定するという機能を備えていないため、管理者等がいない事業所等で測定する際には、成り済ましが可能であるという課題がある。
【０００４】
本発明は、上記課題を解決すべくなされたもので、その目的は、被測定者の身体的特徴から被測定者の本人認証を行い、認証後に被測定者のアルコール摂取状態等を測定することで成り済ましを防ぐことができる身体状態管理装置を提供することにある。
【課題を解決するための手段】
【０００５】
上述した課題を解決するために、請求項１に記載の発明は、身体状態の測定を受ける被測定者の個人情報を記憶する記憶部と、前記被測定者の身体的特徴の特徴データと前記記憶部が予め記憶している前記個人情報に含まれている前記特徴データを照合して本人認証確定情報を送信する身体情報認証装置及び前記被測定者の身体状態を測定して測定データを取得する身体状態測定装置と接続する入出力手段と、前記入出力手段を介して前記身体情報認証装置から前記本人認証確定情報を受信し、前記身体状態測定装置に前記入出力手段を介して測定開始指示を送信する測定開始指示手段と、前記入出力手段を介して前記身体状態測定装置から前記被測定者の前記測定データを受信し、前記測定開始指示手段から前記本人認証確定情報に含まれる前記個人情報を受信し、該当する個人情報に関連づけて前記記憶部に前記測定データを記憶する身体状態測定手段と、を備えた身体状態管理装置である。
【０００６】
請求項２に記載の発明は、請求項１に記載の発明において、前記入出力手段はさらに前記被測定者の顔写真を撮影するカメラと接続しており、前記測定開始指示手段は、前記測定開始指示を送信した後の所定の時間経過後に、前記入出力手段から前記カメラに撮影指示を送信し、前記身体状態測定手段は、前記被測定者の前記顔写真の画像データを前記カメラから受信し、該当する前記個人情報に関連づけて前記画像データを前記記憶部に記憶することを特徴とする請求項１に記載の身体状態管理装置である。
【０００７】
請求項３に記載の発明は、請求項１または２に記載の発明において、前記身体状態測定装置が測定する前記身体状態とは前記被測定者のアルコール摂取状態であることを特徴とする。
【０００８】
請求項４に記載の発明は、請求項１乃至３のいずれか１つに記載の発明において、前記身体情報認証装置が認証する前記身体的特徴とは前記被測定者の虹彩であることを特徴とする。
【０００９】
請求項５に記載の発明は、身体状態の測定を受ける被測定者の個人情報を記憶する記憶部と、前記被測定者の身体的特徴の特徴データと前記記憶部に予め記憶している前記個人情報に含まれる前記特徴データを照合して本人認証確定情報を送信する身体情報認証装置及び前記被測定者の身体状態を測定して測定データを取得する身体状態測定装置と接続する身体状態管理装置のデータ管理方法において、前記身体情報認証装置から本人認証確定情報を受信する過程と、前記身体状態測定装置に測定開始指示を送信する過程と、前記身体状態測定装置から前記被測定者の前記測定データを受信する過程と、前記本人認証確定情報に含まれる前記個人情報に基づいて、該当する個人情報関連づけて前記記憶部に前記測定データを記憶する過程と、からなるデータ管理方法である。
【００１０】
請求項６に記載の発明は、身体状態の測定を受ける被測定者の個人情報を記憶する記憶部と、前記被測定者の身体的特徴の特徴データと前記記憶部に予め記憶している前記個人情報に含まれる前記特徴データを照合して本人認証確定情報を送信する身体情報認証装置及び前記被測定者の身体状態を測定して測定データを取得する身体状態測定装置と接続する身体状態管理装置のコンピュータに、前記身体情報認証装置から本人認証確定情報を受信する手順、前記身体状態測定装置に測定開始指示を送信する手順、前記身体状態測定装置から前記被測定者の前記測定データを受信する手順、前記本人認証確定情報に含まれる前記個人情報に基づいて、該当する個人情報関連づけて前記記憶部に前記測定データを記憶する手順、を実行させるコンピュータプログラムである。
【００１１】
請求項７に記載の発明は、被測定者の身体的特徴の特徴データから前記被測定者の本人認証を行う身体情報認証装置と、測定開始指示を受信して前記被測定者の身体状態を測定を開始して測定データを取得する身体状態測定装置と、前記身体情報認証装置から前記被測定者が本人であることを認証する本人認証確定情報を受信し、前記身体状態測定装置に前記測定開始指示を送信し、前記身体状態測定装置から前記測定データを受信する身体状態管理装置と、ネットワークを介して前記身体状態管理装置に接続されており、前記身体状態管理装置から前記測定データを受信し、前記測定データを記憶する管理サーバ装置と、を備えた身体状態管理システムである。
【００１２】
請求項８に記載の発明は、請求項７に記載の発明において、前記身体状態管理装置は、前記被測定者ごとに個人情報を記憶する個人情報記憶部を有し、前記本人認証確定情報を受信した際に、前記被測定者に対応する個人情報を前記個人情報記憶部から読み出して前記管理サーバ装置に送信して応答を待機し、前記管理サーバ装置は、受信した前記個人情報が予め登録されている個人情報に該当するかを判定し、該当する場合には、登録者確認の応答をすることを特徴とする。
【発明の効果】
【００１３】
この発明によれば、身体情報認証装置により被測定者の認証を行った後に、身体状態測定装置を利用可能にする構成となっている。そのため、被測定者ごとに本人同定を行った後に測定データを取得することができるため、被測定者の成り済ましを防ぐことができる効果がある。
【００１４】
また、本発明によれば、身体情報認証装置は被測定者の虹彩を基に認証を行っており、身体状態測定装置はアルコール摂取状態を測定し、測定データを被測定者ごとに記憶し、
測定終了時には被測定者の顔写真をカメラで撮影する構成になっている。そのため、測定する担当者等が存在しない事業所において測定を行った際に、従業者が成り済まし試みても、上記一連の処理において入れ替わることが困難であるため、成り済ましを防ぎつつ測定を行うことができる。それによって、事業所ごとに測定担当者を配置する経済的な負担を抑えつつ、被測定者のアルコール摂取状態の測定を行うことができる。
【００１５】
また、本発明によれば、身体情報管理システムは、分散して複数の箇所に設置された身体状態管理装置から情報を収集して一元的に測定データを管理する構成となっている。そのため、測定されたデータを管理サーバで一元的に管理することができる。また、本人認証の後に登録している被測定者であるかを管理サーバにおいても確認する構成を取っているため、本人同定の信頼性を向上することができる効果がある。
【発明を実施するための最良の形態】
【００１６】
以下、本発明の一実施形態による身体状態管理装置１を図面を参照して説明する。
図１は、この発明の一実施形態による身体状態管理装置及びそれに接続する身体情報認証装置と身体状態測定装置の構成を示す概略ブロック図である。
同図において身体状態管理装置１は例えば、パーソナルコンピュータ上のソフトウェアで実現される装置である。身体状態管理装置１において、記憶部５は、被測定者の氏名、社員番号及び被測定者の本人認証に用いられる身体的特徴を示す特徴データ等の個人情報や被測定者ごとにこれまでの測定データを記憶する。入出力手段２は、被測定者の身体的特徴をデータとして検出する身体情報認証装置３０及び被測定者の身体状態を測定する身体状態測定装置２０と接続している。
身体情報認証装置３０は、被測定者の身体的な特徴のデータを記憶部５が予め登録している特徴データと照合して本人であることを同定し、本人認証を行う。そして、認証できた場合には認証した被測定者の個人情報を含んだ本人認証確定情報を送信する。身体状態管理装置１は、本人認証確定情報を受信することによって被測定者を登録した状態となる。登録するとは、例えば、パーソナルコンピュータにおいて、当該被測定者がユーザ名とパスワードによりシステムにログインした状態等が該当する。また、身体状態測定装置２０は、被測定者のアルコール摂取状態や血圧等を測定し、測定データを送信する。
測定開始指示手段３ａは、入出力手段２と接続しており、身体情報認証装置３０からの特徴データの要求に答えて、特徴データを記憶部５から読み出して身体情報認証装置３０に送信する。そして、身体情報認証装置３０から本人認証確定情報を受信した後に、身体状態測定装置２０に測定開始指示を送信する。身体状態測定手段３ｂは、身体状態測定装置２０から入出力手段２を介して身体状態の測定データを受信する。また、測定開始指示手段３ａから本人認証確定情報に含まれる個人情報を受信して、当該個人情報に基づいて受信した測定データを記憶部５の該当する箇所へ記憶する。
【００１７】
図２は、同実施形態における身体状態管理装置１を含む身体状態管理システムを示した具体的な構成図である。同図において、身体状態管理装置１は、システム端末１０上で動作するソフトウェアとして実現されている。身体情報認証装置３０は虹彩認証装置３１に該当する。虹彩認証装置３１は、ＵＳＢ（Ｕｎｉｖｅｒｓａｌ  Ｓｅｒｉａｌ  ＢｕＳ）インタフェースでシステム端末１０に接続しており、被測定者の虹彩の情報により被測定者の本人認証を行い、その結果をシステム端末１０に送信する。
図１で説明した身体状態測定装置２０はアルコール検知器２１及び健康管理装置２２に該当する。アルコール検知器２１は、ＲＳ２３２Ｃでシステム端末１０に接続し、被測定者のアルコール摂取状態を測定し、測定データをシステム端末１０に送信する。健康管理装置２２は、ハブ（＝ＨＵＢ）６１経由でＬＡＮ（Ｌｏｃａｌ  Ａｒｅａ  Ｎｅｔｗｏｒｋ）回線でシステム端末１０に接続し、被測定者の血圧等の測定を行い、同様に測定データをシステム端末１０に送信する。
カメラ４０はＵＳＢインタフェースでシステム端末１０に接続しており、アルコール検知器２１で、被測定者を測定終了時等に被測定者の顔写真を撮影し、その画像データをシステム端末１０に送信する。撮影した顔写真は、被測定者の個人情報や測定データに合わせて記憶し、計測後に画像での本人確認を行う場合等に利用する。また、システム端末１０は、ハブ６１及びルータ６２及び終端装置６３を介してネットワークに接続しており、当該ネットワークには他の事業所等に設置されているシステム端末１０の情報を一元的に管理するサーバ装置７０が接続している。サーバ装置７０は、被測定者ごとの個人情報や測定データを記憶しており、システム端末１０において測定が行われるごとにシステム端末１０から測定データを受信する。また、測定開始の際に被測定者が予め登録されているかどうかの確認も行う。
同図において、身体情報認証装置３０に虹彩認証装置３１を利用しているが、個人の特徴から本人認証を行う手段であればどのような手段でもよい。例えば、声紋、指紋、静脈網、ＤＮＡ（Ｄｅｏｘｙｒｉｂｏ  Ｎｕｃｌｅｉｃ  Ａｃｉｄ）により本人認証を行う装置なども利用することが可能である。
例えば、アルコール検知器２１として、電話機形状の装置を準備し、電話において声紋の確認を行うと共にアルコールを検出する仕組みを備えた装置によって同時に本人確認と測定を行うことも可能である。
また、同図において、システム端末１０を設置する場所としては、鉄道、バス、タクシー等の運転手が最初に出勤する事業所を想定しており、業務を開始する前にアルコール摂取状態等を測定することにより、運行管理に役立たせることができる。また、病院に設置して、手術などの診療の前に各担当医師の健康状態を管理する事などにも利用することが可能である。
【００１８】
図３は、図２において説明した身体状態管理システムの機能ブロック図である。
同図において、システム端末１０は、アルコール検知器２１を接続するシリアルインタフェース１１、即ち上記したＲＳ２３２Ｃを備えている。また、カメラを接続するＵＳＢインタフェース４１を備えている。さらに、また、虹彩認証装置３１を接続するＵＳＢインタフェース３３を備えており、ＵＳＢインタフェース３３は、虹彩認証装置を駆動して虹彩認証により被測定者の本人認証を行う虹彩認証部３４に接続している。同図において、上述した身体情報認証装置３０は、虹彩認証装置３１とＵＳＢインタフェース３３で接続されている虹彩認証部３４が該当することになる。シリアルインタフェース１１、ＵＳＢインタフェース４１及び虹彩認証部３４は身体状態管理装置１の制御部３に接続している。また、健康管理装置２２はハブ６１ａを介してシステム端末１０の送受信部１５に接続し、送受信部１５は制御部３に接続している。
制御部３は上述した測定開始指示手段３ａや身体状態測定手段３ｂに対応する。また、制御部３とアルコール検知器２１、虹彩認証装置３１、健康管理装置２２及びカメラ４０の入出力インタフェースは上述した入出力手段２に対応する。さらに、また、制御部３は、被測定者の個人情報を記憶するデータベースと接続している。個人情報データベース（以下、ＤＢ）５ａは、被測定者の氏名、社員番号及び被測定者の本人認証に用いられる虹彩データ等の個人情報を記憶する。測定結果ＤＢ５ｂは、アルコール検知器２１の測定データを記憶する。健康管理ＤＢ５ｃは、健康管理装置２２の測定データを記憶する。画像ＤＢ５ｄは、カメラ４０が撮影した顔写真の画像データを記憶する。個人情報ＤＢ５ａ、測定結果ＤＢ５ｂ、健康管理ＤＢ５ｃ及び画像ＤＢ５ｄは図１の記憶部５に対応する。
また、同図において、サーバ装置７０の送受信部７３は、ハブ６１ａとネットワーク６０とハブ６１ｂを介してシステム端末１０と接続している。送受信部７３は、制御部７１と接続している。システム端末１０が記憶しているデータをネットワーク６０を介して受信し、データベースに記憶して管理するため、システム端末１０と同様の構成で個人情報ＤＢ７２ａ、測定結果ＤＢ７２ｂ、健康管理ＤＢ７２ｃ及び画像ＤＢ７２ｄを備えている。そして、それぞれのデータベースは制御部７１と接続し、制御部７１が各システム端末から受信したデータの管理を行う。
【００１９】
図４は、身体状態管理システムにおける処理の流れを示したシーケンス図である。同図において、最初に被測定者の操作の下で虹彩認証装置３１は、虹彩認証を開始する（ステップＳ４−１）。読み取った情報をシステム端末１０に送信する（ステップＳ４−２）。システム端末１０の虹彩認証部３４は、制御部３から個人情報ＤＢ５ａ内に予め登録されている虹彩情報を受信し、虹彩認証装置３１から受信した被測定者の虹彩情報と照合する（ステップＳ４−３）。照合できた場合には、本人認証を行って個人情報ＤＢ５ａに被測定者を登録する（ステップＳ４−４）。システム端末１０の制御部３は、個人情報ＤＢ５ａから認証済みの被測定者の個人情報を読み出し、サーバ装置７０に送信する（ステップＳ４−５）。サーバ装置７０も同様に個人情報ＤＢ７２ａから登録している個人情報を読み出して、受信した個人情報と照合する（ステップＳ４−６）。受信した個人情報が登録している個人情報に該当する場合には登録者確認情報をシステム端末１０に送信する（ステップＳ４−７）。システム端末１０の制御部３は、登録者確認情報を受信し（ステップＳ４−８）、利用許可の処理を行う（ステップＳ４−９）。そして、セキュリティ解除指示を健康管理装置２２と（ステップＳ４−１０）アルコール検知器２１に送信する（ステップＳ４−１１）。
セキュリティ解除指示を受信した健康管理装置２２は装置を起動し（ステップＳ４−１２）、測定を開始する（ステップＳ４−１３）。そして、測定データをシステム端末１０に送信する（ステップＳ４−１４）。同じくセキュリティ解除指示を受信したアルコール検知器２１は、装置を起動し（ステップＳ４−１５）、測定開始の信号をシステム端末に送信する（ステップＳ４−１６）。アルコール検知器２１は測定を開始し（ステップＳ４−１７）、その間にシステム端末１０はカメラ４０に測定中の被測定者の顔写真を撮影する指示を送信する。アルコール検知器２１は約５秒間かけて測定を行うため、測定の最後のタイミングで顔写真撮影を行う（ステップＳ４−１８）。アルコール検知器２１は、測定が終了すると測定データをシステム端末１０に送信する（ステップＳ４−１９）。健康管理装置２２とアルコール検知器２１から測定データを受信したシステム端末１０は、アルコール測定結果、測定中画像、健康管理測定結果を該当するデータベースに保存する。また、個人情報に変更などがある場合にはあわせて個人情報も更新する（ステップＳ４−２０）。そして、それらのデータをサーバ装置７０に送信し（ステップＳ４−２１）、サーバ装置７０も同様にそれらのデータを該当するデータベースに保存する（ステップＳ４−２２）。
【００２０】
図５は、身体状態管理システムにおける処理の流れを示したフローチャートである。同図において、最初に被測定者の操作の下で虹彩認証装置３１は、虹彩認証を開始する（ステップＳ５−１）。そして、虹彩情報の読み取りを開始し、読み取った情報をシステム端末１０に送信する（ステップＳ５−２）。システム端末１０は、個人情報ＤＢ５ａから予め登録している個人虹彩情報を読み出し、虹彩認証装置３１から受信した被測定者の虹彩情報と照合する（ステップＳ５−３）。一致する虹彩情報が存在しない場合は処理を終了する（ステップＳ５−４）。一致する虹彩情報が存在する場合には、本人認証確定の処理を行い（ステップＳ５−５）、当該被測定者に該当する個人情報を個人情報ＤＢ５ａから読み出し、サーバ装置７０に送信する（ステップＳ５−４）。個人情報を受信したサーバ装置７０は、個人情報ＤＢ７２ａから登録している個人情報を読み出して、受信した個人情報と照合する（ステップＳ５−６）。個人情報が一致しない場合は処理を終了する（ステップＳ５−７）。個人情報が一致する場合には登録者確認情報をシステム端末１０に送信する（ステップＳ５−８）。システム端末１０は登録者確認情報を受信し、利用許可の処理を行って（ステップＳ５−９）、セキュリティ解除指示を健康管理装置２２に送信すると共にアルコール検知器２１に送信する（ステップＳ５−１０）。
セキュリティ解除指示を受信した健康管理装置２２は装置を起動し（ステップＳ５−１１）、測定を開始する（ステップＳ５−１２）。そして、測定中の状態から測定が終了すると（ステップＳ５−１３）測定データをシステム端末１０に送信する（ステップＳ５−１４）。
同じくセキュリティ解除指示を受信したアルコール検知器２１は、装置を起動する（ステップＳ５−１５）。アルコール検知器２１は、測定開始の信号をシステム端末に送信し、測定を開始する（ステップＳ５−１６）。システム端末１０はカメラ４０に測定中の被測定者の顔写真を撮影する指示を送信する（ステップＳ５−１７）。アルコール検知器２１は、測定中の状態から測定が終了すると（ステップＳ５−１８）測定データをシステム端末１０に送信する（ステップＳ５−１９）。健康管理装置２２とアルコール検知器２１から測定データを受信したシステム端末１０は、アルコール測定結果、測定中画像、健康管理測定結果を該当するデータベースに保存する。また、個人情報に変更などがある場合にはあわせて個人情報も更新する（ステップＳ５−２０）。そして、それらのデータをサーバ装置７０に送信し（ステップＳ５−２１）、サーバ装置７０も同様にそれらのデータを該当するデータベースに保存する（ステップＳ５−２２）。
図４及び図５で説明した処理の順序によって、虹彩認証により被測定者の本人認証を行い、システム端末１０に被測定者を登録し、被測定者の測定終了時に顔写真を撮影して測定データと共に保存するため、測定担当者が不在の事業所等においても測定時の成り済ましを防ぐことが可能となる。
なお、同図では示していないが、サーバ装置７０でアルコール測定結果を受信後に、所定の値以上のアルコール摂取量が示された場合には、被測定者の情報を含んだ警告を出すことによって、アルコール摂取をしている可能性のある運転手が業務を開始することを未然に防ぐことができる効果がある。
【００２１】
上述の身体状態管理装置は内部に、コンピュータシステムを有している。そして、上述した本人認証確定情報を受信後の処理及び測定データを記憶する処理の過程は、プログラム形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【図面の簡単な説明】
【００２２】
【図１】本発明の一実施形態における身体状態管理装置とそれに接続する装置を示したブロック図である。
【図２】同実施形態における虹彩認証とアルコール摂取状態を測定する場合の具体的な構成図である。
【図３】同実施形態における虹彩認証とアルコール摂取状態を測定する場合のブロック図である。
【図４】同実施形態における処理のシーケンス図である。
【図５】同実施形態における処理のフローチャートである。
【符号の説明】
【００２３】
１  身体状態管理装置
２  入出力手段
３ａ  測定開始指示手段
３ｂ  身体状態測定手段
５  記憶部
２０  身体状態測定装置
３０  身体情報認証装置
【図１】
2005245956.tif 000003
【図２】
2005245956.tif 000004
【図３】
2005245956.tif 000005
【図４】
2005245956.tif 000006
【図５】
2005245956.tif 000007